(57)【要約】【課題】  原稿に付加されている記憶装置が当該原稿から取り除かれることによって、無制限の複写が行なわれることを防止できる画像形成装置を提供することにある。【解決手段】  画像形成装置１は、情報タグ５１が付加された書籍５０の画像を読取って画像データを取得する画像読取部２を備え、上記情報タグ５１の情報に基づいて上記画像形成部４を制御する画像形成装置１であって、上記書籍５０に上記情報タグ５１が付加されているか否かを判定するタグ付加判定部２３と、上記情報タグ５１が上記書籍５０に付加されていることを示す付加情報が上記画像データに含まれているか否かを判定する付加情報判定部６と、上記付加情報判定部６にて付加情報が含まれていると判定され、かつ、上記タグ付加判定部２３にて上記情報タグ５１が上記書籍５０に付加されていないと判定された場合に、画像形成を行なわないように画像形成部４を制御する制御部８とを備える。【選択図】  図１
2007027890.tif 000002
【特許請求の範囲】
【請求項１】
原稿に形成されている画像を読取って画像データを取得する画像読取手段と、
上記画像データに基づいてシートに画像を形成する画像形成手段とを備え、
上記原稿に記憶装置が付加されている場合に、当該記憶装置に記録されている情報に基づいて上記画像形成手段を制御する画像形成装置であって、
上記原稿に上記記憶装置が付加されているか否かを判定する記憶装置判定手段と、
上記記憶装置が上記原稿に付加されていることを示す付加情報が、上記画像読取手段にて読取られた画像データに含まれているか否かを判定する付加情報判定手段と、
上記付加情報判定手段にて付加情報が含まれていると判定され、かつ、上記記憶装置判定手段にて上記記憶装置が上記原稿に付加されていないと判定された場合に、上記原稿の画像データに基づく画像形成を行なわないように上記画像形成手段を制御する制御手段とを備えることを特徴とする画像形成装置。
【請求項２】
上記付加情報には、上記原稿に付加されている記憶装置を特定する特定情報が含まれており、
上記付加情報から上記特定情報を抽出する抽出手段と、
上記特定情報と上記記憶装置に記録されている情報とから、上記特定情報によって特定される記憶装置と上記原稿に付加されている記憶装置とが同じであるか否かを判定する装置判定手段を備え、
上記装置判定手段にて上記特定情報によって特定される記憶装置と上記原稿に付加されている記憶装置とが同じでないと判定された場合、上記制御手段は、上記原稿の画像データに基づく画像形成を行なわないように上記画像形成手段を制御することを特徴とする請求項１記載の画像形成装置。
【請求項３】
上記記憶装置には、上記原稿に形成されている画像を特定するための特性値が記憶されており、
上記画像読取手段によって取得された画像データから上記原稿に形成されている画像を特定するための特性値を得る特性値算出手段と、
上記記憶装置に記憶されている第１の特定値と、上記特性値算出手段によって得られた第２の特性値とを比較して、両者が類似しているか否かを判定する類似判定手段とを備え、
上記類似判定手段にて上記両者が類似していないと判定された場合、上記制御手段は、上記原稿の画像データに基づく画像形成を行なわないように上記画像形成手段を制御するものであることを特徴とする請求項１記載の画像形成装置。
【請求項４】
上記特性値算出手段は、上記画像データから上記原稿の特定の領域に形成されている画像から得られる情報を上記特性値として取得するものであることを特徴とする請求項３記載の画像形成装置。
【請求項５】
上記原稿には複数の記憶装置が付加されているとともに、上記複数の記憶装置には他の記憶装置との関連性を示す関連性情報が記録されており、
上記関連性情報に基づいて、上記原稿に付加されている複数の記憶装置同士が関連しているか否かを判定する関連性判定手段を備え、
上記付加情報判定手段は、上記原稿に上記記憶装置が付加されていると判定すると、各記憶装置から上記関性連情報を上記関連性判定手段に与え、
上記関連性判定手段にて上記複数の記憶装置同士が関連していないと判定された場合に、上記制御手段は、上記原稿の画像データに基づく画像形成を行なわないように上記画像形成手段を制御するものであることを特徴とする請求項１記載の画像形成装置。
【請求項６】
原稿に形成されている画像を読取って画像データを取得する画像読取手段と、上記画像データに基づいてシートに画像を形成する画像形成手段とを備え、上記原稿に記憶装置が付加されている場合に、当該記憶装置に記録されている情報に基づいて上記画像形成手段を制御する画像形成装置の制御方法であって、
上記原稿に上記記憶装置が付加されているか否かを判定する記憶装置判定工程と、
上記記憶装置が上記原稿に付加されていることを示す付加情報が、上記画像読取手段にて読取られた画像データに含まれているか否かを判定する付加情報判定工程と、
上記付加情報判定工程にて付加情報が含まれていると判定され、かつ、上記記憶装置判定工程にて上記記憶装置が上記原稿に付加されていないと判定された場合に、上記原稿の画像データに基づく画像形成を行なわないように上記画像形成手段を制御する制御工程とを含むことを特徴とする画像形成装置の制御方法。
【請求項７】
請求項１〜５のいずれか１項に記載の画像形成装置を動作させる画像形成装置の制御プログラムであって、コンピュータを上記の各手段として機能させるための制御プログラム。
【請求項８】
請求項７に記載の制御プログラムを記録した、コンピュータ読取り可能な記録媒体
【請求項９】
記憶装置を備えた原稿であって、
上記記憶装置が付加されていることを示す付加情報が画像として形成されていることを特徴とする原稿。
【請求項１０】
上記付加情報は、文字以外の画像であることを特徴とする請求項９記載の原稿。
【請求項１１】
上記付加情報は、バーコードであることを特徴とする請求項９記載の原稿。
【請求項１２】
上記付加情報は、付加情報以外の画像と重なる状態で形成されていることを特徴とする請求項９記載の原稿。
【請求項１３】
複数の上記記憶装置を備え、
上記記憶装置には、他の記憶装置との関連性を示す関連情報が記録されていることを特徴とする請求項９記載の原稿。
【請求項１４】
上記記憶装置を特定するための特定情報が画像として含まれていることを特徴とする請求項９記載の原稿。
【発明の詳細な説明】
【技術分野】
【０００１】
本発明は、書籍などの著作物をコピーする画像形成装置に関するものである。
【背景技術】
【０００２】
近年、高性能のデジタル複合機が製品化されており、書籍等の著作物を画像形成してオリジナルに近いコピーを作成することが容易になっている。また、上記書籍等を読取って画像データとした場合には、近年のインターネットの普及により、上記画像データを不特定多数のユーザに対して配信することが可能になっている。
【０００３】
しかしながら、上記書籍等には、著作権が存在し、著作権者に無断で上記書籍等を画像データ化して配信する等の被害が多発している。このような、不法な画像データの配信を防ぐために、例えば、特許文献１の技術が提案されている。
【０００４】
具体的には、特許文献１では、著作物データを格納しているサーバに対して、ユーザが所望する著作物データの使用時における許可条件を指定し、サーバが許可条件に基づいて使用を許可した場合に、ユーザが著作物データをサーバから受け取ることで、私的使用を許容しつつ、不正コピーを防止するシステムが提案されている。このように、データ化された著作物については、私的使用を目的とした場合に限り、そのコピーを許可するシステムが提案されている。
【０００５】
一方で、書籍など、物理的な著作物についての複写機による不法なコピーを防止する技術としては、例えば、特許文献２が挙げられる。
【０００６】
上記特許文献２では、ＩＣタグ等の記録媒体を付加した書籍において、この記録媒体中に上記書籍の読取を許可するか否かの情報を記録しておき、この情報に基づいて書籍の読取を制御している。
【特許文献１】特開２００４−６２８７０公報（２００４年２月２６日公開）
【特許文献２】特開２００４−１６４５５１公報（２００４年６月１０日公開）
【発明の開示】
【発明が解決しようとする課題】
【０００７】
しかしながら、上記従来の構成では、上記記録媒体が取り除かれてしまうと、無制限に上記書籍の複写物が生成されてしまうという問題点が生じる。
【０００８】
具体的には、特許文献２では、書籍に付加されている記録媒体に、上記書籍の読取を許可するか否かの情報を記録し、この情報に基づいて上記書籍の読取りを行なうか否かが決定される。しかし、上記特許文献２では、上記書籍に付加された記録媒体が取り除かれると、上記書籍の読取を許可するか否かの情報がなくなるため、無制限に上記書籍の読取りが行なわれることになり、その結果、無制限に上記書籍の複写物を生成することができてしまう。
【０００９】
本発明は、上記の問題点に鑑みてなされたものであり、その目的は、原稿に付加されている記憶装置が当該原稿から取り除かれた場合であっても無制限の複写が行なわれることを防止できる画像形成装置を提供することにある。
【課題を解決するための手段】
【００１０】
本発明に係る画像形成装置は、上記課題を解決するために、原稿に形成されている画像を読取って画像データを取得する画像読取手段と、上記画像データに基づいてシートに画像を形成する画像形成手段とを備え、上記原稿に記憶装置が付加されている場合に、当該記憶装置に記録されている情報に基づいて上記画像形成手段を制御する画像形成装置であって、上記原稿に上記記憶装置が付加されているか否かを判定する記憶装置判定手段と、上記記憶装置が上記原稿に付加されていることを示す付加情報が、上記画像読取手段にて読取られた画像データに含まれているか否かを判定する付加情報判定手段と、上記付加情報判定手段にて付加情報が含まれていると判定され、かつ、上記記憶装置判定手段にて上記記憶装置が上記原稿に付加されていないと判定された場合に、上記原稿の画像データに基づく画像形成を行なわないように上記画像形成手段を制御する制御手段とを備えることを特徴としている。
【００１１】
上記記憶装置とは、画像形成手段における画像形成を制御するための情報（制限情報）が記録されたものである。上記記憶装置としては、例えば、ＩＣタグ（無線タグ）、フラッシュメモリ、およびハードディスク等の少なくとも１つを含む情報を記憶できるものが挙げられる。
【００１２】
上記の構成によれば、付加情報判定手段および記憶装置判定手段の判定結果より、原稿に記憶装置が付加されておらず、かつ、画像読取手段によって取得された画像データ中に付加情報が含まれていると判定すると、制御手段は、画像形成を行なわないように画像形成手段を制御する。
【００１３】
これにより、画像データからは原稿に記憶装置が付加されていることが示されているにも関わらず、原稿から記憶装置が取り除かれていると判断した場合には、不正なコピーが行なわれようとしているとみなして画像形成を禁止することができる。
【００１４】
従って、上記の構成とすることで、通常時には原稿に付加されている記憶装置に記憶されている情報に基づいて画像形成手段を制御できる一方、画像形成手段を制御するための記憶装置が意図的に取り除かれていた場合には、画像形成手段による画像形成を禁止することができる。
【００１５】
なお、上記付加情報判定手段による付加情報が含まれているか否かの判定（付加情報判定）と、記憶装置判定手段による記憶装置が原稿に付加されているか否かの判定（記憶装置判定）とは、（１）同時に行ってもよく、（２）付加情報判定手段によって付加情報が含まれていないと判定された後で記憶装置判定手段による上記記憶装置判定を行ってもよく、（３）記憶装置判定手段によって原稿に記憶装置が付加されていないと判定された後で付加情報判定手段による上記付加情報判定を行ってもよい。
【００１６】
本発明に係る画像形成装置において、上記付加情報には、上記原稿に付加されている記憶装置を特定する特定情報が含まれており、上記付加情報から上記特定情報を抽出する抽出手段と、上記特定情報と上記記憶装置に記録されている情報とから、上記特定情報によって特定される記憶装置と上記原稿に付加されている記憶装置とが同じであるか否かを判定する装置判定手段を備え、上記装置判定手段にて上記特定情報によって特定される記憶装置と上記原稿に付加されている記憶装置とが同じでないと判定された場合、上記制御手段は、上記原稿の画像データに基づく画像形成を行なわないように上記画像形成手段を制御する構成であってもよい。
【００１７】
上記特定情報とは、原稿に付加されている記憶装置を特定するための情報であり、具体的には、記憶装置に固有に付与されている識別情報（例えば、ＩＤ番号）等が挙げられる。
【００１８】
上記装置比較手段は、例えば、上記付加情報から抽出した特定情報と、記憶装置に格納されている当該記憶装置固有の情報である固有情報とを比較するものである。
【００１９】
上記の構成によれば、画像データ中に原稿に付加されている記憶装置を特定する特定情報を含む付加情報を原稿に付加しておき、この付加情報に含まれる特定情報によって特定される記憶装置と、現在原稿に付加されている記憶装置とが同じものであるか否かを判定している。
【００２０】
これにより、例えば、上記原稿に本来付加されている記憶装置が、他の記憶装置に置き換えられているか否かを判定することができる。
【００２１】
従って、上記の構成によれば、原稿に付加されている上記記憶装置が、最初から上記原稿に付加されていたか否かを判定できるので、本来付加されている記憶装置を取り除いて、その代わりに別の記憶装置が付加されることを防止できる。これにより、別の記憶装置が付加されることで行なわれる不正なコピーを防止することができる。
【００２２】
本発明に係る画像形成装置において、上記記憶装置には、上記原稿に形成されている画像を特定するための特性値が記憶されており、上記画像読取手段によって取得された画像データから上記原稿に形成されている画像を特定するための特性値を得る特性値算出手段と、上記記憶装置に記憶されている第１の特定値と、上記特性値算出手段によって得られた第２の特性値とを比較して、両者が類似しているか否かを判定する類似判定手段とを備え、上記類似判定手段にて上記両者が類似していないと判定された場合、上記制御手段は、上記原稿の画像データに基づく画像形成を行なわないように上記画像形成手段を制御する構成であってもよい。
【００２３】
上記特性値としては、例えば、（Ａ）原稿に形成されている画像の配置位置を示すレイアウト情報、（Ｂ）上記原稿に形成されている画像を領域分離処理することで得られる領域情報、（Ｃ）記号、数字、ロゴ、および単語等の文字情報、（Ｄ）上記画像の大きさを示すサイズ情報、（Ｅ）上記原稿のヘッダーまたはフッターの位置を示すヘッダー（フッター）情報、（Ｆ）上記ヘッダーまたはフッターの位置に記録されている文字情報、および、（Ｇ）上記原稿に形成されている画像そのものに関する情報を示す画像情報の少なくとも１つを含む情報が挙げられる。
【００２４】
また、上記特性値算出手段は、例えば、（１）上記画像データを領域分離して、分離された各領域の割合を算出する、（２）上記画像データの特定の領域の画像を抽出する、（３）上記画像データの特定の領域をＯＣＲ処理することで、特定の文字列を抽出する等の処理を行なうことで上記第２の特性値を得る。
【００２５】
上記の構成によれば、原稿に付加されている記憶装置に予め第１の特性値を記録しておき、この第１の記憶特性値と特性値算出手段により得られる第２特定値とが類似しているか否かを判定している。そして、類似していない場合には、画像データに基づく画像形成動作を行なわないように画像形成手段を制御している。
【００２６】
これにより、上記判定結果より、上記特性値と記憶特性値とが類似していないと判定された場合には、上記原稿に本来付加されているはずであった記憶装置とは異なる記憶装置が上記原稿に付加されているとみなして、画像形成を行なわないように制御することができる。
【００２７】
なお、上記類似判定手段による両者が類似しているか否かを判定する方法として、上記特性値が例えば文字情報である場合には、この文字情報同士を比較して両者の類似度を算出すればよい。また、上記特性値が例えば画像情報である場合には、画素同士を比較して、両者の類似度を算出すればよい。そして、算出された類似度が一定値以上である場合には、類似していると判断すればよい。
【００２８】
本発明に係る画像形成装置において、上記特性値算出手段は、上記画像データから上記原稿の特定の領域に形成されている画像から得られる情報を上記特性値として取得する構成であってもよい。
【００２９】
上記の構成によれば、原稿の特定の領域に形成されている画像から得られる情報を特性値として取得している。これにより、上記特性値算出手段は、上記特定の領域に相当する画像データのみを解析して特性値を得ることができる。
【００３０】
本発明に係る画像形成装置において、上記原稿には複数の記憶装置が付加されているとともに、上記複数の記憶装置には他の記憶装置との関連性を示す関連性情報が記録されており、上記関連性情報に基づいて、上記原稿に付加されている複数の記憶装置同士が関連しているか否かを判定する関連性判定手段を備え、上記付加情報判定手段は、上記原稿に上記記憶装置が付加されていると判定すると、各記憶装置から上記関性連情報を上記関連性判定手段に与え、上記関連性判定手段にて上記複数の記憶装置同士が関連していないと判定された場合に、上記制御手段は、上記原稿の画像データに基づく画像形成を行なわないように上記画像形成手段を制御する構成であってもよい。
【００３１】
上記の構成によれば、上記原稿に付加された複数の記憶装置から関連性情報を読出し、この複数の記憶装置同士が関連しているか否かを判定している。これにより、上記原稿に付加されている複数の記憶装置のうちの一部が取り除かれた場合に、上記記憶装置が取り除かれていることを判断することができる。
【００３２】
本発明に係る画像形成装置の制御方法は、上記の課題を解決するために、原稿に形成されている画像を読取って画像データを取得する画像読取手段と、上記画像データに基づいてシートに画像を形成する画像形成手段とを備え、上記原稿に記憶装置が付加されている場合に、当該記憶装置に記録されている情報に基づいて上記画像形成手段を制御する画像形成装置の制御方法であって、上記原稿に上記記憶装置が付加されているか否かを判定する記憶装置判定工程と、上記記憶装置が上記原稿に付加されていることを示す付加情報が、上記画像読取手段にて読取られた画像データに含まれているか否かを判定する付加情報判定工程と、上記付加情報判定工程にて付加情報が含まれていると判定され、かつ、上記記憶装置判定工程にて上記記憶装置が上記原稿に付加されていないと判定された場合に、上記原稿の画像データに基づく画像形成を行なわないように上記画像形成手段を制御する制御工程とを含むことを特徴としている。
【００３３】
なお、上記画像形成装置は、コンピュータによって実現してもよく、この場合には、コンピュータを上記各手段として動作させることにより上記画像形成装置をコンピュータにて実現させる画像形成装置の制御プログラムおよびそれを記録したコンピュータ読取り可能な記録媒体も本発明の範疇に入る。
【００３４】
本発明にかかる原稿は、記憶装置を備えた原稿であって、上記記憶装置が付加されていることを示す付加情報が画像として形成されていることを特徴としている。
【００３５】
上記原稿とは、例えば、紙またはシート等の情報記録媒体上に、画像が形成されているものである。上記原稿としては、例えば、書籍等の書類が挙げられる。
【００３６】
上記の構成によれば、記憶装置を有するとともに、当該記憶装置が付加されていることを示す付加情報が画像として形成されている。これにより、例えば、付加情報が画像として記録されているので、原稿から上記記憶装置が取り除かれた場合には、上記記憶装置が取り除かれたことを知ることができる。
【００３７】
本発明にかかる原稿において、上記付加情報は、文字以外の画像である構成であってもよい。
【００３８】
上記の構成によれば、付加情報が文字以外の画像である。これにより、人には付加情報であるか否かを判別できないような画像を上記付加情報とすることができる。
【００３９】
本発明にかかる原稿において、上記付加情報は、バーコードである構成であってもよい。
【００４０】
上記の構成によれば、上記付加情報がバーコードである。これにより、上記付加情報を機械読取りが容易な状態で付加することができる。
【００４１】
なお、上記バーコードには、通常のバーコードに加えて、二次元バーコード（ＱＲコード）も含むものとする。
【００４２】
本発明にかかる原稿において、上記付加情報は、付加情報以外の画像と重なる状態で形成されている構成であってもよい。
【００４３】
上記の構成によれば、上記付加情報を当該付加情報以外の画像が形成されている位置に重なるように形成している。これにより、人に認識し難い状態で上記付加情報を付加することができる。特に、付加情報以外の元画像に影響を与えることなく付加情報のみを無効化することが困難な電子透かしとして、付加情報を元画像に埋め込むことが望ましい。これにより、書類に付加してコピーを柔軟に制御できるＩＣタグが、不正な操作に対して電子透かしと同等の強靭性を備えることになる。
【００４４】
本発明にかかる原稿において、複数の上記記憶装置を備え、上記記憶装置には、他の記憶装置との関連性を示す関連情報が記録されている構成であってもよい。
【００４５】
上記の構成によれば、複数の記憶装置には、他の記憶装置との関連性を示す関連情報が記録されている。これにより、例えば、上記複数の記憶装置のうちの１つが取り除かれた場合であっても、残っている記憶装置の情報を読取ることで、記憶装置が取り除かれたことを知ることができる。
【００４６】
本発明にかかる原稿において、上記記憶装置を特定するための特定情報が画像として含まれている構成であってもよい。
【００４７】
上記の構成によれば、上記原稿に形成されている画像には、上記記憶装置を特定する特定情報が含まれている。すなわち、上記特定情報を読取ることで、上記原稿に付加された記憶装置が、本来付加されているべきものか否かを判定することができる。これにより、例えば、原稿に本来付加されていた記憶装置が取り除かれて、その代わりに他の記憶装置が付加された場合であっても、上記特定情報を読取ることで、本来付加されていた記憶装置が取り除かれたことを知ることができる。
【００４８】
なお、上記特定情報としては、例えば、記憶装置に対してユニークに付与されている識別情報（ＩＤ情報）等が挙げられる。
【発明の効果】
【００４９】
本発明に係る画像形成装置は、原稿に形成されている画像を読取って画像データを取得する画像読取手段と、上記画像データに基づいてシートに画像を形成する画像形成手段とを備え、上記原稿に記憶装置が付加されている場合に、当該記憶装置に記録されている情報に基づいて上記画像形成手段を制御する画像形成装置であって、上記原稿に上記記憶装置が付加されているか否かを判定する記憶装置判定手段と、上記記憶装置が上記原稿に付加されていることを示す付加情報が、上記画像読取手段にて読取られた画像データに含まれているか否かを判定する付加情報判定手段と、上記付加情報判定手段にて付加情報が含まれていると判定され、かつ、上記記憶装置判定手段にて上記記憶装置が上記原稿に付加されていないと判定された場合に、上記原稿の画像データに基づく画像形成を行なわないように上記画像形成手段を制御する制御手段とを備える構成である。
【００５０】
これにより、画像データからは原稿に記憶装置が付加されていることが示されているにも関わらず、原稿から記憶装置が取り除かれていると判断した場合には、不正なコピーが行なわれようとしているとみなして画像形成を禁止することができる。
【００５１】
従って、上記の構成とすることで、通常時には原稿に付加されている記憶装置に記憶されている情報に基づいて画像形成手段を制御できる一方、画像形成手段を制御するための記憶装置が意図的に取り除かれていた場合には、画像形成手段による画像形成を禁止することができるという効果を奏する。
【発明を実施するための最良の形態】
【００５２】
本発明の一実施形態について説明すると以下の通りである。すなわち、本発明の画像形成装置は、原稿に記録装置が付加されているか否かを判断するとともに、原稿に形成されている画像から上記記録装置が付加されているか否かを判定し、上記原稿に形成されている画像から記録媒体が付加されていると判定したにも関わらず、上記原稿に記録媒体が付加されていない場合には、画像形成動作を行なわないように制御する構成である。これについて以下に説明する。
【００５３】
なお、本発明における原稿には、単なる画像が記録されたシートおよび書籍等の少なくとも１つを含む著作物が含まれ、画像読取を行なうことができるものであれば特に限定されない。そして、以下の説明では、上記原稿が書籍である場合について説明する。
【００５４】
上記画像形成装置は、書籍から画像データを取得するとともに、当該画像データに基づいてシートに画像を形成するものである。また、上記画像形成装置は、上記書籍に付加されている例えば、無線タグ（ＩＣタグ）等の記憶装置（以下、情報タグとして説明する）に記録されている情報を読取り、この情報に基づく画像形成を行なうものである。
【００５５】
まず、上記画像形成装置にて画像データが読取られる上記書籍について説明する。上記書籍は、シート上に画像が形成されている。また、上記書籍には、当該書籍に形成されている画像に基づく画像形成動作を制限するための制限情報を少なくとも含む上記書籍に関する書籍特定情報が記録されている情報タグを備えている。つまり、上記書籍には画像形成装置によって光学的に読取られるための画像が形成されているとともに、上記書籍特定情報が記録されている情報タグを有している。
【００５６】
ここで、上記書籍に付加されている情報タグに記録されている書籍特定情報について説明する。
【００５７】
図２（ａ）〜（ｃ）は、情報タグに記録された書籍特定情報のデータ構造の一例を示す図面である。図２（ａ）に示すように、上記書籍特定情報には、ＩＣタグＩＤ、書籍情報、書籍所有者の個人ＩＤ、私的コピー許可フラグ、総コピー許可枚数、月間許可枚数、累計コピー枚数およびコピー履歴情報が記録されている。
【００５８】
上記ＩＣタグＩＤは、当該情報タグに固有（ユニーク）に付された識別情報である。このＩＣタグＩＤにより、他のＩＣタグとの識別が可能である。
【００５９】
上記書籍情報は、上記情報タグが埋め込まれた（付加れている）書籍に関する情報である、上記書籍情報としては、例えば、書籍の名称、書籍の作成者（著作者）、書籍の総頁数、書籍の大きさであるサイズ等の情報の少なくとも１つが挙げられる。
【００６０】
なお、上記書籍情報は、後述する画像形成装置等によって書き換えることができないようになっている。本実施の形態では、上記書籍情報を、製本時に書込み、以後は読み出し専用に設定されている。
【００６１】
上記書籍所有者の個人ＩＤ（所有者情報）は、上記書籍の所有者に関する情報である。具体的には、上記書籍所有者の個人ＩＤとしては、例えば、所有者の氏名、および、住民基本台帳に記された個人を特定するための情報等の少なくとも１つを含む個人を特定するための情報が挙げられる。
【００６２】
上記私的コピー許可フラグは、上記書籍の画像読取りおよび／または書籍から読取られた画像データに基づく画像形成を制限するか否かを示す情報である。つまり、上記私的コピー許可フラグは、原稿に基づく画像形成を制限するか否かを示している。
【００６３】
具体的には、上記私的コピー許可フラグには、著作権保護のための、コピー制限情報および／またはスキャン制限情報（制限情報）が含まれている。また、上記私的コピー許可フラグとして、例えば、上記書籍の読取および画像形成の許可／限られた部数だけ許可／不許可等を示す情報が記録されていてもよい。
【００６４】
上記総コピー許可枚数は、私的目的でのコピーを逸脱しないように設定された、コピー（画像読取りおよび画像形成）可能な回数を示す情報である。また、上記月間許可枚数は、特定期間の間に著しく多いコピーが行なわれることを防止するために、特定期間内にコピー動作を許可する回数を示す情報である。また、累計コピー枚数は、これまでに、上記書籍がコピーされた枚数（回数）の累計値を示す情報である。
【００６５】
そして、上記コピー履歴情報は、上記書籍をコピーした日時を示す情報である。具体的には、例えば、図２に示すように、一ヶ月単位でコピーされた回数を記録している。
【００６６】
この情報タグに記録されている情報のうち、上記私的コピー許可フラグが上記制限情報に相当する。そして、上記私的コピー許可フラグ以外の他の情報については必要に応じて適宜記録すればよい。
【００６７】
また、上記情報タグには、少なくとも上記制限情報に相当する私的コピー許可フラグが記録されていればよく、その他の情報については必要に応じて記録されていればよい。また、上記情報タグには、それぞれの情報を記録するための記録領域がそれぞれ設けられている。つまり、上記の場合、情報タグには、ＩＣタグＩＤを格納するタグＩＤ記録領域、書籍情報を格納する書籍情報記録領域、書籍所有者の個人ＩＤを格納するＩＤ情報記録領域、私的コピー許可フラグを格納するフラグ情報格納領域、総コピー許可枚数を格納する許可枚数記録領域、月間許可枚数を格納する月間許可枚数格納領域、累計コピー枚数を格納する累積枚数記録領域およびコピー履歴を格納する履歴情報記録領域が設けられている。
【００６８】
なお、上記図２（ａ）に示す情報以外にも、情報タグには、種々の情報を記録してもよい。具体的には、例えば、上記書籍に複数の情報タグを付加する場合、図２（ｂ）に示すように、上記２（ａ）に示す情報に加えて、他の情報タグとの関連性を示す関連性情報であるリンクタグＩＤ（他の情報タグのＩＣタグＩＤ）を記録してもよい。
【００６９】
また、例えば、図２（ｃ）に示すように、上記情報タグに、書籍に形成されている画像に関する情報、すなわち、上記画像を特性するための情報であるページ情報（記憶特性値）を記録してもよい。
【００７０】
上記ページ情報としては、例えば、ヘッダーの位置、特定の絵（画像）の位置、文章の位置、フッターの位置、フッターに記されたページ番号、ページの特定箇所にある識別し易い記号、および絵等の少なくとも１つが挙げられる。
【００７１】
図１は、本実施の形態にかかる画像形成装置１の概略の構成を示す機能ブロック図である。
【００７２】
ここで、本実施の形態にかかる画像形成装置１について説明する。上記画像形成装置１は、図１に示すように、無線タグ通信部５、情報取得部７、付加情報判定部６、画像読取部２（画像読取手段）、画像処理部３、画像形成部４（画像形成手段）、制御部８（制御手段）、情報記憶装置９、制限情報付加部１３、ユーザＩ／Ｆ部１０、ネットワークＩ／Ｆ部１２および認証情報取得部１１を備えている。
【００７３】
上記画像読取部２は、画像形成装置１の図示しない原稿載置台に載置された書籍５０（原稿）を光学的に読取り、電気信号の画像データに変換するものである。つまり、上記画像読取部２を用いて書籍５０を読取ることで当該書籍５０に形成されている画像に基づく画像データが得られる。
【００７４】
なお、上記原稿が書籍５０の場合には、通常、ユーザがコピーしたい箇所を開いて原稿載置台に置き、スタートボタンを押して１枚ずつコピーを指示する。この場合、上記画像読取部２は、例えば、原稿カバーの開閉操作をトリガとして、光学センサなどを用いて原稿の有無やサイズを検出するようになっている。また、上記画像読取部２は、書籍５０のページを自動的にめくって複数ページを一括して読取るものであってもよい。
【００７５】
上記画像処理部３は、後段の画像形成部４にて画像形成を行なうために、上記画像読取部２にて取得された画像データを適切に補正する。
【００７６】
具体的には、上記画像処理部３は、画像読取部２によって読取られた画像データを画像形成部４の特性に合わせて、色や階調の補正を行なうものである。また、上記画像処理部３は、著作権のある書籍５０をコピーする場合、コピー出力を２次原稿として更にコピーされることを防止するために、上記画像データに対して、コピー抑制パターンや、コピー禁止情報を埋め込んだりしてもよい。
【００７７】
上記画像形成部４は、上記画像読取部２によって取得され、画像処理部３にて画像処理が行なわれた画像データおよび外部から取得した画像データに基づいて、シートに画像を形成するものである。
【００７８】
なお、上記画像形成部４および画像読取部２は、例えば、一般のデジタル複写機等の画像形成装置１が有する従来周知の構成であるため、詳細な説明は省略する。
【００７９】
上記無線タグ通信部５は、書籍５０に埋め込まれた情報タグ５１に対し、データの読み書きを行なうものである。そして、上記無線タグ通信部５は、無線タグリーダ２１を備えている。
【００８０】
上記無線タグリーダ２１は、書籍５０に付加されている情報記録媒体である情報タグ５１（無線ＩＣタグ）に記録されている、書籍特定情報を読み出すものである。また、上記無線タグ通信部５は、上記情報タグ５１に記録されている情報のうち、累計コピー枚数およびコピー履歴情報を書き換えるものである。
【００８１】
上記情報取得部７は、無線タグ通信部５を介して書籍５０に付加された情報タグ５１に記録されている書籍特定情報を取得するものである。そして、上記情報取得部７は、タグ付加判定部２３（記憶装置判定手段）を備えている。
【００８２】
上記タグ付加判定部２３は、上記書籍５０に情報タグ５１が付加されているか否かを判定するものである。具体的には、上記タグ付加判定部２３は、上記情報取得部７が、上記情報タグ５１に記録されている書籍特定情報を取得できない場合、つまり、書籍５０に情報タグ５１が付加されておらず、上記書籍特定情報が取得できない場合に、上記書籍５０には情報タグ５１が付加されていないと判定する。一方、上記タグ付加判定部２３は、上記情報取得部７によって上記書籍特定情報が取得された場合には、上記書籍５０には情報タグ５１が付加されていると判定する。
【００８３】
上記付加情報判定部６（付加情報判定手段）は、上記画像読取部２にて取得された画像データを解析することで、上記画像データ中に、上記書籍５０に情報タグ５１が付加されていることを示す付加情報が含まれているか否かを判定するものである。
【００８４】
具体的には、上記付加情報判定部６は、当該付加情報判定部６が備える画像認識部２２を動作させて、認証画像記憶部２４に記憶されている参照情報が、上記画像読取部２にて取得された画像データに含まれているか否かを判定することで、上記画像データに付加情報が含まれているか否かを判定する。
【００８５】
上記画像認識部２２（特性値算出手段、抽出手段）は、上記画像データを解析して、画像データから付加情報を抽出するものである。また、上記画像認識部２２は、上記画像データから、特定の画像情報等を分離するものである。具体的には、上記画像認識部２２は、上記画像データを、例えば、ＯＣＲ処理等の画像認識を行ない、上記画像データ中に含まれる、上記付加情報を抽出する。また、上記画像認識部２２は、例えば、上記書籍５０に付加されている情報タグ５１を特定する例えば、記憶装置固有の固有情報（識別情報）である上記ＩＣタグＩＤ等の特定情報を抽出する。なお、上記付加情報と上記特定情報とは同じものであってもよく、異なっていてもよい。つまり、上記特定情報を付加情報としてもよい。
【００８６】
また、上記画像認識部２２は、上記画像データを解析して、上記書籍５０に形成されている画像を特定するための特性値を取得するものであってもよい。具体的には、上記画像認識部２２は、ＯＣＲ処理、領域分離処理等の画像処理を行なって、上記画像データ中に含まれる、例えば、（１）書籍５０の特定の領域に記録された文字列、記号、数字等の文字情報、（２）書籍５０の特定の領域に記録された画像情報、（３）領域分離処理によって分離された各画像領域の割合（文字領域、背景領域および網点・写真領域等の画像領域に分離して、各領域のそれぞれの割合を算出）等の、上記書籍５０に形成されている画像を特定するための特性値を取得する。
【００８７】
上記制御部８は、上記画像形成装置１が備える各構成の動作を制御するものである。そして、上記制御部８は、上記付加情報判定部６の判定結果と上記タグ付加判定部２３の判定結果とに基づいて、上記画像形成部４の動作を制御するものである。この制御部８における画像形成部４の制御については後述する。
【００８８】
また、上記制御部８は、必要に応じて、情報比較部２６（装置判定手段、類似判定手段）と関連性判定部２７（関連性判定手段）とユーザ認証部２８とを備えていてもよい。
【００８９】
上記情報比較部２６は、上記情報取得部７によって取得された上記書籍特定情報と、上記画像認識部２２によって画像データから得られた特性値または特定情報とを比較するものである。具体的には、例えば、上記画像認識部２２によって、上記画像データから、または、画像データに含まれる付加情報から、上記書籍５０に付加されている情報タグ５１のＩＣタグＩＤが特定情報として取得（抽出）された場合には、上記情報比較部２６は、上記画像認識部２２によって取得されたＩＣタグＩＤと、上記情報取得部７によって取得された情報タグ５１に記録されているＩＣタグＩＤとを比較して、両者が一致しているか否かを判定する。
【００９０】
また、画像認識部２２が画像データから上記特性値を取得した場合、上記情報比較部２６は、当該特性値と、情報タグ５１に記録されているページ情報（詳細には、情報タグ５１から読み出され、タグ情報記憶部２５に記憶されているページ情報）とを比較し、両者の類似度を算出する。そして、上記情報比較部２６は、算出された類似度が一定値以上である場合には、両者が一定していると判定する。
【００９１】
上記関連性判定部２７は、上記書籍５０に複数の情報タグ５１が記録されている場合に、上記複数の情報タグ５１が互いに関連しているか否かを判定するものである。具体的には、上記関連性判定部２７は、上記情報取得部７によって取得された書籍特定情報、より詳細には情報取得部７によって情報記憶装置９のタグ情報記憶部２５に記録された上記書籍特定情報を参照して、書籍特定情報に含まれるリンクタグＩＤに基づいて、書籍５０に付加された複数の情報タグ５１同士の関連性を判定する。なお、上記関連性を判定する処理については後述する。
【００９２】
上記ユーザ認証部２８は、上記書籍５０の複写を行なうユーザの認証を行なうものである。具体的には、上記ユーザ認証部２８は、上記情報タグ５１に記憶されている書籍５０所有者の個人ＩＤと、ユーザＩ／Ｆ部１０を介して入力されるユーザ情報とを比較することで、上記書籍５０に基づく画像形成動作を行なうユーザが、上記書籍５０の所有者であるか否かを判定する。
【００９３】
そして、上記制御部８は、上記付加情報判定部６の判定結果と上記タグ付加判定部２３の判定結果に加えて、上記情報比較部２６による比較結果、関連性判定部２７による関連性の判定結果、および、ユーザ認証部２８によるユーザ認証の認証結果の少なくとも１つの結果に基づいて、上記画像形成部４における画像形成を制御する。なお、具体的な、画像形成の制御処理については後述する。
【００９４】
上記情報記憶装置９は、種々の情報を記録するものである。上記情報記憶装置９としては、例えば、フラッシュメモリ、および、ハードディスク等の不揮発性の記録装置が挙げられる。上記情報記憶装置９は、認証画像記憶部２４とタグ情報記憶部２５とを備えている。上記認証画像記憶部２４は、上記付加情報判定部６によって判定される、上記画像データ中に付加情報が含まれているか否か、換言すると、上記書籍５０に形成されている画像に付加情報が含まれているか否かの判定に用いられる参照画像（以下、認証画像と称する）を格納するものである。そして、上記付加情報判定部６は、画像認識部２２にて画像データから抽出された画像が、得られた付加情報が、認証画像記憶部２４に記憶されている認証画像と一致するか否かによって、上記画像データ中に付加情報が付加されているか否かを判定している。従って、上記認証画像記憶部２４には、付加情報判定部６が、画像データ中に付加情報が付加されているか否かを判定するための判定基準が記憶されている。上記判定基準としては、例えば、付加情報を示す認証画像、および、付加情報が含まれているかを調べるための判定ルール等が挙げられる。
【００９５】
上記タグ情報記憶部２５は、上記情報取得部７によって取得された書籍特定情報を記憶するものである。上記情報取得部７は、上記情報タグ５１から書籍特定情報を取得すると、上記タグ情報記憶部２５に記憶させる。
【００９６】
上記ネットワークＩ／Ｆ部１２は、画像形成装置１と接続されている例えば、ユーザ端末（パソコン）やサーバ等から画像データを含む種々のデータを送受信するものである。
【００９７】
上記ユーザＩ／Ｆ部１０は、後述する認証情報取得部１１から認証情報を取得するものである。
【００９８】
上記認証情報取得部１１は、ユーザから認証情報を取得するものである。具体的には、上記認証情報取得部１１は、指紋認証部２９、通信部３０、ＩＣカードリーダ３１および操作部３２を備えている。
【００９９】
上記指紋認証部２９は、人の指紋を読取ることで認証情報を取得するものである。上記通信部３０は、例えば、携帯電話等と通信を行い、認証情報を取得するものである。ＩＣカードリーダ３１は、外部からＩＣカードを読取り、認証情報を取得するものである。上記操作部３２は、例えば、テンキー、キーボード、タッチパネル等をユーザが操作することで、上記認証情報を取得するものである。
【０１００】
また、上記画像形成装置１には、画像形成部４によって画像が形成されるシートに対して、そのシートに形成された画像に基づく画像形成を制限または禁止する旨の制限情報を付加する制限情報付加部１３を備えていてもよい。
【０１０１】
ここで、上記付加情報判定部６の判定結果と上記タグ付加判定部２３の判定結果とに基づいて、上記画像形成部４の動作を制御する制御処理について図３を参照して説明する。なお、図３は、上記制御処理を説明するフローチャートである。
【０１０２】
まず、ユーザによって著作物である書籍５０が画像形成装置１の原稿載置台に載置され、コピー開始命令が上記ユーザから出される（Ｓ１０）。このとき、上記原稿載置台に書籍５０が載置されると、上記画像形成装置１は、画像読取部２を動作させて、上記書籍５０に形成されている画像の仮読取り（本読取りでもよい）を行なう。上記原稿載置台に上記書籍５０が載置されると、上記タグ付加判定部２３は、無線タグ通信部５を動作させて、上記書籍５０に情報タグ５１が付加されているか否かを判定する（Ｓ１１）。具体的には、上記タグ付加判定部２３は、情報取得部７が無線タグ通信部５を介して上記書籍５０に付加された情報タグ５１に記録されている書籍特定情報を取得したか否かによって、上記書籍５０に情報タグ５１が付加されているか否かを判定する。
【０１０３】
上記ステップＳ１１にて、書籍５０に情報タグ５１が付加されていないと判定する（Ｓ１１にてＮＯ）と、上記タグ付加判定部２３は、上記制御部８に対して、書籍５０に情報タグ５１が付加されていないことを示す情報を送信する。上記タグ付加判定部２３から上記旨の信号を受信した制御部８は、付加情報判定部６に対して、画像データ中に付加情報が含まれているか否かを判定する付加情報判定命令を送信する。
【０１０４】
そして、上記付加情報判定命令を受信した付加情報判定部６は、上記画像読取部２が上記書籍５０に形成されている画像を読取って得た画像データを取得する。そして、上記付加情報判定部６は、上記画像認識部２２を動作させて、上記画像データの画像認識処理（解析）を行なう（Ｓ１２）。その後、上記付加情報判定部６は、上記画像データ中に上記認証画像記憶部２４に記憶されている認証画像と同じ情報（画像）が含まれているかを判定することで、上記画像データ中に付加情報が含まれているか否かを判定する（Ｓ１３）。そして、上記画像認識部２２が、画像データ中に上記認証画像と同じ画像が含まれていると判定すると、上記付加情報判定部６は、上記画像データ中に付加情報が含まれている、換言すると、書籍５０に形成されている画像の中に付加情報が含まれていると判定する。
【０１０５】
そして、上記ステップＳ１３にて、画像データ中に付加画像が含まれていると判定する（Ｓ１３にてＹＥＳ）と、上記付加情報判定部６は、上記制御部８に対して、上記付加画像が含まれていることを示す情報を送信する。
【０１０６】
上記付加情報判定部６から上記旨の情報を取得した制御部８は、上記書籍５０には本来情報タグ５１が付加されていたが、意図的に上記情報タグ５１が取り外されている（つまり、不正なコピーが行なわれようとしている）と判断し、画像形成部４における画像形成動作を禁止する（Ｓ１４）。そして、制御部８は、上記画像形成動作を禁止した旨を示す情報を、図示しない報知部を動作させて外部に報知する。
【０１０７】
一方、上記ステップＳ１３にて、画像データ中に付加画像が含まれていないと判定する（Ｓ１３にてＮＯ）と、上記付加情報判定部６は、上記制御部８に対して、上記付加画像が含まれていないことを示す情報を送信する。上記付加情報判定部６から付加画像が含まれていない旨の情報を取得した制御部８は、上記書籍５０には最初から情報タグ５１は付加されていなかったと判断し、画像形成部４に画像形成動作を行なわせる（Ｓ２０）。
【０１０８】
上記ステップＳ１１にて、情報タグ５１が付加されていると判定する（Ｓ１１にてＹＥＳ）と、上記情報取得部７は、上記情報タグ５１に記録されている書籍特定情報を取得する（Ｓ１６）。そして、上記情報取得部７は、取得した上記書籍特定情報を情報記憶装置９のタグ情報記憶部２５に記憶する。
【０１０９】
次に、制御部８は、上記タグ情報記憶部２５に上記書籍特定情報が記憶されたことを検出すると、上記書籍５０に基づく画像形成を行なうことができる枚数を越えているか否かを判定する印刷枚数判定処理を行なう（Ｓ１７）。なお、上記印刷枚数判定処理については後述する。
【０１１０】
そして、上記ステップＳ１７における印刷枚数判定処理の後、制御部８は、画像形成部４における画像形成、すなわち、印刷が可能であるか否かを判定する（Ｓ１８）。ここでは、制御部８は、上記印刷枚数判定処理の結果に基づいて印刷が可能であるか否かを判定しているが、他にも例えばユーザ認証処理等を行って、印刷を許可するか否かを判定してもよい。
【０１１１】
そして、上記ステップＳ１８にて、印刷が可能であると判定すると、上記制御部８は、上記無線タグ通信部５を動作させて、タグ情報記憶部２５に記憶さている書籍特定情報に基づいて上記書籍５０に付加されている情報タグ５１に記録されている情報を更新する（Ｓ１９）。ここでは、図２（ａ）に示すように、上記情報タグ５１に記録されている累計コピー枚数および履歴情報を更新する。
【０１１２】
そして、上記制御部８は、上記画像形成部４を動作させて、印刷処理を行なう（Ｓ２０）。
【０１１３】
なお、上記ステップＳ１８にて、印刷が可能でないと判定する（Ｓ１８にてＮＯ）と、処理はステップＳ１４に進み、印刷処理が禁止される。
【０１１４】
このようにして、上記画像形成装置１では、上記書籍５０に形成されている画像中に情報タグ５１が付加されていることを示す付加情報が含まれているにも関わらず、上記書籍５０に情報タグ５１が付加されていない場合には、画像形成部４における画像形成動作を行なわないように制御している。
【０１１５】
ここで、上記ステップＳ１７の印刷枚数判定処理について説明する。上記印刷枚数判定処理は、上記制御部８にて行なわれる。なお、以下では、上記書籍５０に付加されている情報タグ５１に、上記図２（ａ）〜（ｃ）に示すような、累計コピー枚数、総コピー許可枚数、履歴情報、月間許可枚数が記録されている場合について説明する。
【０１１６】
図４は、上記印刷枚数判定処理を説明するためのフローチャートである。
【０１１７】
まず、上記制御部８は、上記タグ情報記憶部２５に記憶されている書籍特定情報に、枚数情報（累計コピー枚数、総コピー許可枚数、履歴情報、月間許可枚数）が含まれているか否かを判定する（Ｓ３０）。そして、上記ステップＳ３０にて枚数情報が含まれていないと判定する（Ｓ３０にてＮＯ）と、制御部８は、印刷を行なうことができると判定し（Ｓ３７）、処理を終了する。
【０１１８】
一方、上記ステップＳ３０にて、枚数情報が含まれていると判定する（Ｓ３０にてＹＥＳ）と、上記制御部８は、ユーザＩ／Ｆ部１０を介してユーザから入力された、今回コピーを行なう枚数であるコピー枚数Ｘを取得する（Ｓ３１）。次に、上記制御部８は、上記タグ情報記憶部２５に記憶されている書籍特定情報から、累積コピー枚数Ｚ（Ｓ３２）、総コピー許可枚数Ｔ（Ｓ３３）、現在の月のコピー枚数Ｍ（Ｓ３４）および月間許可枚数Ｙ（Ｓ３５）をそれぞれ取得する。
【０１１９】
そして、制御部８は、上記取得した枚数情報から、Ｘ＋Ｍ≦Ｙ、かつ、Ｘ＋Ｔ≦Ｚの条件を満たすか否かを判定する（Ｓ３６）。
【０１２０】
上記ステップＳ３６にて、上記条件を満たすと判定する（Ｓ３６にてＹＥＳ）と、上記制御部８は、印刷を行なうことができると判定し（Ｓ３７）、処理を終了する。一方、上記ステップＳ３６にて、上記条件を満たさないと判定する（Ｓ３６にてＮＯ）と、上記制御部８は、印刷を行なうことができないと判定し（Ｓ３８）、処理を終了する。
【０１２１】
このようにして、上記制御部８は印刷枚数判定処理を行なう。
【０１２２】
次に、上記付加情報判定部６の判定結果と上記タグ付加判定部２３の判定結果とに基づいて、上記画像形成部４の動作を制御し、さらに、ユーザ認証処理および書籍５０に付加されている情報タグ５１が本物であるか否かを判定する判定処理を行なって上記画像形成部４の動作を制御する制御処理について図５を参照して説明する。上記図５は、上記制御処理の他の例を説明するフローチャートである。なお、以降の説明では、説明の便宜上、上記で説明している各ステップと同じ処理については、同じ工程番号（ステップ番号）を付し、その説明を省略する。
【０１２３】
上記ユーザによって原稿である書籍５０が原稿載置台に載置され（Ｓ１０）、コピー開始命令が出されると、上記タグ付加判定部２３は、無線タグ通信部５を動作させて、上記書籍５０に情報タグ５１が付加されているか否かを判定する（Ｓ１１）。そして、上記ステップＳ１１にて、書籍５０に情報タグ５１が付加されていないと判定する（Ｓ１１にてＮＯ）と、上記付加情報判定部６は、画像認識部２２を動作させて、上記画像データ中に付加情報が含まれているか否かを判定する（Ｓ１３）。そして、画像データ中に付加情報が含まれていると判定された（Ｓ１３にてＹＥＳ）場合には、上記制御部８は、画像形成部４による画像形成動作を禁止する（Ｓ１４）一方で、上記画像データ中に付加情報が含まれていないと判定された（Ｓ１３にてＮＯ）場合には、上記制御部８は、画像形成部４による画像形成動作を許可する（Ｓ２０）。
【０１２４】
一方、上記ステップＳ１１にて、情報タグ５１が付加されていると判定する（Ｓ１１にてＹＥＳ）と、上記情報取得部７は、上記情報タグ５１に記録されている書籍特定情報を取得する（Ｓ１６）。そして、上記情報取得部７は、取得した上記書籍特定情報を情報記憶装置９のタグ情報記憶部２５に記憶する。
【０１２５】
次に、上記制御部８は、上記タグ情報記憶部２５に記憶された書籍特定情報を参照して、当該書類を画像形成することが許可されているか否かを判定する（Ｓ４０）。具体的には、上記制御部８は、上記書籍特定情報を参照して、当該書籍特定情報に含まれている私的コピー許可フラグが立っているか否かを判定する。そして、上記ステップＳ４０にて、上記私的コピー許可フラグが立っていない、すなわち、上記書類を画像形成することが許可されていないと判定した（Ｓ４０にてＮＯ）場合、制御部８における処理はステップＳ１４に進み、上記書籍５０に基づく画像形成動作は禁止される。
【０１２６】
一方、上記ステップＳ４０にて、上記私的コピー許可フラグが立っていない、すなわち、上記書類を画像形成することが許可されていないと判定した（Ｓ４０にてＹＥＳ）場合、上記制御部８は、ユーザ認証部２８を動作させて、ユーザ認証処理を行なう（Ｓ４１）。具体的には、上記ユーザ認証部２８は、上記タグ情報記憶部２５から、書籍特定情報に含まれている書籍５０所有者の個人ＩＤを取得する。次に、上記ユーザ認証部２８は、上記ユーザＩ／Ｆ部１０を介して入力される認証情報を取得する。この認証情報は、ユーザが認証情報取得部１１を介して入力する情報である。そして、上記認証情報の入力方法としては、具体的には、例えば、ユーザは、ＩＣカードリーダ３１にユーザが所有するＩＣカードを読み込ませることで入力したり、ユーザが１０キー（テンキー）、キーボード、および／またはタッチパネルを操作することで入力したりすればよい。また、例えば、携帯電話等の携帯端末が有する赤外線通信を通じて上記認証情報を入力したり、指紋認証部２９を動作させて上記認証情報を入力してもよい。
【０１２７】
そして、上記ユーザ認証部２８は、取得した上記個人ＩＤと、上記入力された認証情報とを比較して、ユーザ情報が一致しているか否かを判定する（Ｓ４２）。
【０１２８】
上記ステップＳ４２にて、ユーザ情報が一致していないと判定する（Ｓ４２にてＮＯ）と、制御部８における処理はステップＳ１４に進み、上記書籍５０に基づく画像形成動作は禁止される。
【０１２９】
一方、ユーザ情報が一致していると判定する（Ｓ４２にてＹＥＳ）と、上記制御部８は、付加情報判定部６に対して、画像データ中に特定情報が含まれているか否かを判定する特定情報判定命令を送信する。
【０１３０】
そして、上記特定情報判定命令を受信した付加情報判定部６は、上記画像読取部２が上記書籍５０に形成されている画像を読取って得た画像データを取得する。そして、上記付加情報判定部６は、上記画像認識部２２を動作させて、上記画像データの画像認識処理（解析）を行なう（Ｓ４３）。そして、上記付加情報判定部６は、上記画像認識部２２を動作させて、画像データ中にＩＣタグＩＤ等の書籍５０に付加されている情報タグ５１を特定するための特定情報が含まれているか否かを判定する（Ｓ４４）。
【０１３１】
そして、上記ステップＳ４４にて、特定情報が含まれていると判定した（Ｓ４４にてＹＥＳ）場合、付加情報判定部６は、上記画像認識部２２を動作させて画像データから上記特定情報（ここでは、ＩＣタグＩＤ）を取得（Ｓ４５）し、制御部８の情報比較部２６に送信する。上記特定情報を取得した上記情報比較部２６は、タグ情報記憶部２５に記憶されている上記情報タグ５１固有の情報であるＩＣタグＩＤを取得する。そして、情報比較部２６は、上記付加情報判定部６から取得したＩＣタグＩＤと、タグ情報記憶部２５に記憶されているＩＣタグＩＤとを比較し、両者が一致しているか否かを判定する（Ｓ４６）。
【０１３２】
上記ステップＳ４６にて、両者が一致していないと判定される（Ｓ４６にてＮＯ）と、制御部８における処理はステップＳ１４に進み、上記書籍５０に基づく画像形成動作は禁止される。
【０１３３】
一方、上記ステップＳ４６にて、両者が一致していると判定される（Ｓ４６にてＹＥＳ）と、制御部８は、印刷枚数判定処理を行なう（Ｓ１７）。その後、制御部８は、印刷枚数処理の結果に基づいて、画像形成動作を許可するか否かを判定し、画像形成を禁止または画像形成を許可する（Ｓ１４、Ｓ１８〜Ｓ１９）。
【０１３４】
なお、上記ステップＳ４４にて、特定情報が含まれていないと判定すると、処理はステップＳ１７に進む。
【０１３５】
このようにして、上記画像形成装置１では、書籍５０に情報タグ５１が付加されている場合には、当該情報タグ５１に記録されている書籍特定情報を用いて、ユーザ認証処理、および、上記情報タグ５１を特定するための特定情報と情報タグ５１との比較処理を行なってもよい。これにより、画像形成を行なうユーザが当該書籍５０の所有者であるか否かを判定することができる。また、書籍５０に付加されている情報タグ５１が最初から上記書籍５０に付加されていたか否か、換言すると、書籍５０に付加されていた情報タグ５１が他の情報タグに付け替えられているか否かを判定できる。
【０１３６】
また、上記画像形成装置１において、書籍５０に複数の情報タグ５１が付加されており、さらに、上記情報タグ５１に記憶されている書籍特定情報には、例えば、図２（ｃ）に示すような、ページ情報およびリンクタグＩＤが記録されている場合には、以下に説明する制御処理を行ってもよい。これについて図６のフローチャートを参照して説明する。
【０１３７】
図６は、制御部８における制御処理の他の例を説明するフローチャートである。なお、以降の説明では、説明の便宜上、上記で説明している各ステップと同じ処理については、同じ工程番号（ステップ番号）を付し、その説明を省略する。
【０１３８】
上記ユーザによって原稿である書籍５０が原稿載置台に載置され（Ｓ１０）、コピー開始命令が出されると、上記タグ付加判定部２３は、無線タグ通信部５を動作させて、上記書籍５０に情報タグ５１が付加されているか否かを判定する（Ｓ１１）。そして、上記ステップＳ１１にて、書籍５０に情報タグ５１が付加されていないと判定する（Ｓ１１にてＮＯ）と、上記付加情報判定部６は、画像認識部２２を動作させて、上記画像データ中に付加情報が含まれているか否かを判定する（Ｓ１３）。そして、画像データ中に付加情報が含まれていると判定された（Ｓ１３にてＹＥＳ）場合には、上記制御部８は、画像形成部４による画像形成動作を禁止する（Ｓ１４）一方で、上記画像データ中に付加情報が含まれていないと判定された（Ｓ１３にてＮＯ）場合には、上記制御部８は、画像形成部４による画像形成動作を許可する（Ｓ２０）。
【０１３９】
一方、上記ステップＳ１１にて、情報タグ５１が付加されていると判定される（Ｓ１１にてＹＥＳ）と、上記情報タグ５１に記録されている書籍特定情報が読み出され（Ｓ１６）、この書籍特定情報に基づいて、制御部８によって、当該書籍５０を用いた画像形成が許可されているかが判定される（Ｓ４０）。そして、画像形成が許可されていると判定すると、上記制御部８は、ユーザ認証部２８を動作させてユーザ認証処理を行い（Ｓ４１）、画像形成を行なおうとしているユーザが上記書籍５０の所有者であるか否かの判定を行なう（Ｓ４２）。
【０１４０】
そして、上記ステップＳ４２にて、書籍５０の所有者（画像形成が許可されたユーザ）であると判定する（Ｓ４２にてＹＥＳ）と、制御部８は印刷枚数判定処理を行う（Ｓ１７）。その後、制御部８は、情報比較部２６を動作させてレイアウト比較処理を行い（Ｓ５０）、さらに、関連性判定部２７を動作させて関連性判定処理を行なう（Ｓ６５）。この上記レイアウト比較処理および関連性判定処理については後述する。
【０１４１】
その後、制御部８は、印刷枚数判定処理の判定結果、レイアウト比較処理の判定結果および関連性判定処理の判定結果に基づいて、画像形成を行なうか否かを判定する（Ｓ６６）。具体的には、上記３つの判定（比較）処理において、全ての処理で印刷が許可された場合には、画像形成を行なうと判定する（Ｓ６６にてＹＥＳ）一方、その他の場合には画像形成を禁止すると判定する（Ｓ６６にてＮＯ）。そして、上記ステップＳ６６の判定結果に基づいて、制御部８は、画像形成部４を制御する（Ｓ１４、または、Ｓ１９〜２０）。
【０１４２】
ここで、上記レイアウト比較処理について、図７および図８を参照して説明する。上記図７は書籍５０に形成されている画像の一例を示す図面であり、図８は上記レイアウト比較処理を説明するフローチャートである。
【０１４３】
例えば、上記書籍５０に形成されている画像が、図７に示すように、ヘッダー、文章、絵およびフッターから構成されている場合、例えば、書籍５０全体に対する文章の割合等を上記情報タグ５１にページ情報として記憶させておく。そして、上記書籍５０を画像読取部２で読取り画像データを取得して、当該画像データを解析して、書籍５０全体に対する文章の割合を算出する。そして、上記算出された文章の割合と情報タグ５１に記録されているページ情報とを比較することで、上記ページ情報を記録している情報タグ５１が、上記書籍５０に本来付加されていたか否かを判定することができる。
【０１４４】
このように、レイアウト比較処理では、書籍５０に形成されている画像特有の情報を情報タグ５１に予め記録しておき、上記画像を読取った結果と情報タグ５１とを比較している。なお、上記ページ情報としては、上記文章の割合に限定されるものではなく、上記書籍５０の特定の領域に形成されている、例えば、文字、ロゴ、記号数字等の特定の情報であってもよい。
【０１４５】
以下に図８を参照して、上記レイアウト比較処理について説明する。
【０１４６】
まず、画像読取部２にて画像読取りが行なわれ（Ｓ５１）、画像データが取得される。その後、上記画像認識部２２は、上記画像データを解析する。具体的には、上記画像認識部２２は、上記画像データを、例えば、文字領域、背景領域および網点・写真領域に領域分離する（Ｓ５２）。そして、上記画像認識部２２は、書籍５０全体に対する各領域の割合を算出する（Ｓ５３）。また、上記画像認識部２２は、上記書籍５０の特定の領域に形成されている画像を抽出する（Ｓ５４）。そして、画像認識部２２は、算出した各領域の割合および特定の領域に形成されている画像を特定情報として、制御部８の情報比較部２６に送信する。
【０１４７】
上記情報比較部２６は、画像認識部２２から特定情報を取得すると、当該特定情報と、情報タグ５１記憶部に記憶されているページ情報とを比較する（Ｓ５５）。そして、上記情報比較部２６は、特定情報とページ情報とが一致しているか否かを判定する（Ｓ５６）。
【０１４８】
上記ステップＳ６６にて、一致していると判定する（Ｓ５６にてＹＥＳ）と、上記制御部８は、印刷を行なうことができると判定し（Ｓ５７）処理を終了する。一方、上記ステップＳ５６にて、一致していないと判定する（Ｓ５６にてＮＯ）と、上記制御部８は印刷を行なうことができないと判定し（Ｓ５８）処理を終了する。
【０１４９】
このようにして、上記レイアウト比較処理を行なう。
【０１５０】
なお、上記の説明では、上記各領域の割合と特定領域の画像との２つを特定情報としているが、いずれか一方でもよい。また、上記特定情報としては、上記以外にも例えば、コピー対象ページのレイアウト情報、絵の位置、ページ番号の位置、ヘッダーの位置、文章の位置、特定箇所に埋め込まれた記号、絵といった情報等が挙げられる。
【０１５１】
また、上記の説明では、予めページ情報として記録されている情報の種類（例えば、書籍５０全体に対する各領域の割合等）が予め決められている場合について説明している。従って、情報比較部２６は、特定情報とページ情報とを比較する際には同種の情報を比較することになる。
【０１５２】
また、情報タグ５１に記憶されているページ情報がどのような情報か分からない場合には、例えば、画像認識部２２が、上記特定情報を作成する前に、情報タグ５１に記憶されているページ情報の種類に関する情報を取得し、この情報に基づいて上記特定情報を作成してもよい。この構成とすることで、情報比較部２６は、特定情報とページ情報とを比較できる。
【０１５３】
次に、上記関連性判定処理について図９、図１０を参照して説明する。なお、以下の説明では、書籍５０には複数の情報タグ５１（ここでは４つ）が付加されており、それぞれの情報タグ５１に記録されている情報には、図２（ｂ）、（ｃ）に示すように、ＩＣタグＩＤおよびリンクタグＩＤ（関連性情報）が含まれている場合について説明する。
【０１５４】
上記図９（ａ）に示すように、４つの情報タグ５１のそれぞれには、ＩＣタグＩＤとしてタグＡ１、タグＡ２、タグＡ３およびタグＡ４が記録されている。なお、以下の説明では、４つの情報タグ５１を、それぞれ、情報タグ５１Ａ１、情報タグ５１Ａ２、情報タグ５１Ａ３、情報タグ５１Ａ４として説明する。
【０１５５】
例えば、複数の情報タグ５１が付加されている場合でも、無線タグリーダ２１によって記録されている書籍特定情報が取得され、タグ情報記憶部２５に記憶される。そして、関連性判定部２７は、上記タグ情報記憶部２５に記憶された情報に基づいて、これら複数の情報タグ５１が互いに関連性があるか否かを判定する。
【０１５６】
具体的には、関連性判定部２７が、情報タグ５１Ａ２に記録されている情報を読み出した場合、当該情報タグ５１Ａ２にはリンクタグＩＤとしてタグＡ３が記録されている。そこで、関連性判定部２７は、上記ＩＣタグＩＤがタグＡ３である情報タグ５１Ａ３に記録されている情報を読み出すと、当該情報タグ５１Ａ３にはリンクタグＩＤとしてタグＡ４が記録されている。
【０１５７】
次に、関連性判定部２７は、上記ＩＣタグＩＤがタグＡ４である情報タグ５１Ａ４に記録されている情報を読み出すと、当該情報タグ５１Ａ４にはリンクタグＩＤとしてタグＡ１が記録されている。
【０１５８】
次に、関連性判定部２７は、上記ＩＣタグＩＤがタグＡ１である情報タグ５１Ａ１に記録されている情報を読み出すと、当該情報タグ５１Ａ１にはリンクタグＩＤとしてタグＡ２が記録されている。
【０１５９】
ここで、関連性判定部２７は、上記ＩＣタグＩＤがタグＡ２である情報タグ５１Ａ２は、既に世読み出しているため、これらの４つの情報タグ５１は、互いに関連していることが分かる。つまり、上記関連性判定部２７は、ある情報タグ５１から次の情報タグ５１を辿り、この次の情報タグ５１からさらに次の情報タグ５１を辿っていき、全ての情報タグ５１が関連付けられているか否かを判定している。
【０１６０】
また、例えば、図９（ｂ）に示すように、情報タグ５１Ａ２が取り除かれ、その代わりにＩＣタグＩＤがＢ２である情報タグ５１Ｂ２が付加された場合には、情報タグ５１Ａ１のリンクタグＩＤに示す情報タグ５１（情報タグ５１Ａ２）と情報タグ５１Ｂ２のリンクタグＩＤに示す情報タグ５１（情報タグ５１Ｂ３）が存在しないため、どの情報タグ５１から最初に情報を読み出しても、最初に読み出した情報タグ５１に戻ることができない。そのため、関連性判定部２７は、（情報タグ５１に不正が行なわれているとみなして）コピー不可とすることができる。
【０１６１】
ここで、関連性判定処理について図１０を参照して説明する。
【０１６２】
関連性判定部２７は、タグ情報記憶部２５に記憶されている複数の書籍特定情報のうち、任意の情報タグ５１の上記書籍特定情報を読出し、その情報タグ５１のＩＤ（ＩＣタグＩＤ）とリンク先ＩＤ（リングタグＩＤ）とを取得する（Ｓ７０、Ｓ７０）。
【０１６３】
次に上記関連性判定部２７は、読み出したリンク先ＩＤと同じＩＣタグＩＤを有する情報タグ５１があるか否かを検索する（Ｓ７２）。そして、この検索結果より、上記上記関連性判定部２７は、読み出したリンク先ＩＤと同じＩＣタグＩＤを有する情報タグ５１があるか否かを判定する（Ｓ７３）。
【０１６４】
上記ステップＳ７３にて、ないと判定される（Ｓ７３にてＮＯ）と、上記関連性判定部２７は、本来書籍５０に付加されていた情報タグ５１が取り除かれたと判定し、印刷不許可と判定する（Ｓ７９）。
【０１６５】
一方、上記ステップＳ７３にて、あると判定される（Ｓ７３にてＹＥＳ）と、上記関連性判定部２７は、読み出したリンク先ＩＤと同じＩＣタグＩＤを有する情報タグ５１に記憶されている情報を取得する（Ｓ７４）。そして、上記関連性判定部２７は、その情報からリンク先ＩＤを取得する（Ｓ７５）。
【０１６６】
そして、上記関連性判定部２７は、ステップＳ７５で取得したリンクＩＤが、ステップＳ７０にて取得した情報タグ５１のＩＤ（ＩＣタグＩＤ）と同じであるか否かを判定する（Ｓ７６）。
【０１６７】
上記ステップＳ７６にて、同じでないと判定される（Ｓ７６にてＮＯ）と、処理はステップＳ７２に戻る。
【０１６８】
一方、上記ステップＳ７６にて、同じであると判定される（Ｓ７６にてＹＥＳ）と、上記関連性判定部２７は、情報を未だ読み出していない情報タグ５１があるか否かを判定する（Ｓ７７）。
【０１６９】
上記ステップＳ７７にて、未だ情報を読み出していない情報タグ５１があると判定される（Ｓ７７にてＹＥＳ）と、上記関連性判定部２７は、最初から付加されていた情報タグ５１以外の情報タグ５１が付加されたと判定し、印刷不許可と判定する（Ｓ７９）。
【０１７０】
一方、上記ステップＳ７７にて、未だ情報を読み出していない情報タグ５１がないと判定される（Ｓ７７にてＮＯ）と、関連性判定部２７は、印刷許可であると判定する（Ｓ７８）。
【０１７１】
このようにして、上記関連性判定部２７は、書籍５０に付加された複数の情報タグ５１が互いに関連しているか否かを判定している。
【０１７２】
なお、上記以外の方法によって、上記複数の情報タグ５１が互いに関連しているか否かを判定してもよい。
【０１７３】
具体的には、例えば、情報タグ５１に記憶するリンクタグＩＤとして、上記書籍５０に付加されている自身以外の情報タグ５１のＩＣタグＩＤを記憶しておき、このＩＣタグＩＤを有する情報タグ５１が全てあるか否かを判定することで、複数の情報タグ５１が互いに関連しているか否かを判定してもよい。
【０１７４】
以上のように、本実施の形態にかかる画像形成装置１は、情報タグ５１が付加された書籍５０に形成されている画像を読取って画像データを取得する画像読取部２と、上記画像データに基づいてシートに画像を形成する画像形成部４とを備え、上記情報タグ５１に記録されている情報に基づいて上記画像形成部４を制御する画像形成装置１であって、上記書籍５０に上記情報タグ５１が付加されているか否かを判定するタグ付加判定部２３と、上記情報タグ５１が上記書籍５０に付加されていることを示す付加情報が、上記画像読取部２にて読取られた画像データに含まれているか否かを判定する付加情報判定部６と、上記付加情報判定部６にて付加情報が含まれていると判定され、かつ、上記タグ付加判定部２３にて上記情報タグ５１が上記書籍５０に付加されていないと判定された場合に、画像形成を行なわないように上記画像形成部４を制御する制御部８とを備える構成である。
【０１７５】
上記の構成によれば、上記付加情報判定部６および上記タグ付加判定部２３の判定結果より、上記書籍５０に情報タグ５１が付加されておらず、かつ、上記画像読取部２によって取得された画像データ中に上記付加情報が含まれていると判定すると、上記制御部８は、画像形成を行なわないように上記画像形成部４を制御する。
【０１７６】
これにより、上記画像データからは上記書籍５０に情報タグ５１が付加されていることが示されているにも関わらず、上記書籍５０から情報タグ５１が取り除かれていると判断した場合には、不正なコピーが行なわれようとしているとみなして画像形成を禁止することができる。
【０１７７】
従って、上記の構成とすることで、通常時には上記書籍５０に付加されている情報タグ５１に記憶されている情報に基づいて画像形成部４を制御できる一方、上記画像形成部４を制御するための記憶装置が意図的に取り除かれていた場合には、画像形成部４による画像形成を禁止することができる。
【０１７８】
なお、上記付加情報判定部６による付加情報が含まれているか否かの判定（付加情報判定）と、タグ付加判定部２３による情報タグ５１が書籍５０に付加されているか否かの判定（情報タグ５１判定）とは、（１）同時に行ってもよく、（２）付加情報判定部６によって上記付加情報が含まれていないと判定された後でタグ付加判定部２３による上記情報タグ５１判定を行ってもよく、（３）タグ付加判定部２３によって書籍５０に情報タグ５１が付加されていないと判定された後で付加情報判定部６による上記付加情報判定を行ってもよい。
【０１７９】
また、本実施の形態にかかる画像形成装置１において、上記画像データから上記書籍５０に付加されている情報タグ５１を特定する特定情報を抽出する画像認識部２２と、上記特定情報によって特定される情報タグ５１と、書籍５０に付加されている情報タグ５１とが同じであるか否かを判定する情報比較部２６を備え、上記制御部８は、上記情報比較部２６による判定結果に基づいて、上記画像形成部４を制御する構成であってもよい。
【０１８０】
上記の構成によれば、画像データ中に書籍５０に付加されている情報タグ５１を特定する特定情報を書籍５０に付加しておき、この特定情報によって特定される情報タグ５１と、現在書籍５０に付加されている情報タグ５１とが同じものであるか否かを判定している。
【０１８１】
これにより、例えば、上記書籍５０に本来付加されている情報タグ５１が、他の情報タグに置き換えられているか否かを判定することができる。
【０１８２】
従って、上記の構成によれば、書籍５０に付加されている上記情報タグ５１が、最初から上記書籍５０に付加されていたか否かを判定できるので、本来付加されている情報タグ５１を取り除いて、その代わりに別の情報タグ５１が付加されることを防止できる。これにより、別の情報タグ５１が付加されることで行なわれる不正なコピーを防止することができる。
【０１８３】
また、本実施の形態にかかる画像形成装置１において、上記情報タグ５１には、上記書籍５０に形成されている画像を特定するための特性値であるページ情報が記憶されており、上記画像読取部２によって取得された画像データから上記特性値を得る画像認識部２２と、上記情報タグ５１に記憶されている記憶特定値と、上記画像認識部２２によって得られた特性値とを比較して、両者が類似しているか否かを判定する情報比較部２６とを備え、上記制御部８は、上記情報比較部２６による判定結果に基づいて、上記画像形成部４を制御する構成であってもよい。
【０１８４】
上記の構成によれば、書籍５０に付加されている情報タグ５１に予め上記ページ情報を記録しておき、上記ページ情報と上記画像読取部２によって取得された画像データを解析することで得られる特定値とが類似しているか否かを判定している。そして、この判定結果に基づいて画像形成部４を制御している。
【０１８５】
これにより、例えば、上記判定結果より、上記特性値とページ情報とが類似していない場合には、上記書籍５０に本来付加されているはずであった情報タグ５１とは異なる情報タグ５１が上記書籍５０に付加されているとみなして、画像形成を行なわないように制御することができる。
【０１８６】
なお、上記情報比較部２６による両者が類似しているか否かを判定する方法として、上記特性値が例えば文字情報である場合には、この文字情報同士を比較して両者の類似度を算出すればよい。また、上記特性値が例えば画像情報である場合には、画素同士を比較して、両者の類似度を算出すればよい。そして、算出された類似度が一定値以上である場合には、類似していると判断すればよい。
【０１８７】
また、本実施の形態にかかる画像形成装置１において、上記画像認識部２２は、上記画像データから上記書籍５０の特定の領域に形成されている画像から得られる情報を上記特性値として取得する構成であってもよい。
【０１８８】
上記の構成によれば、書籍５０の特定の領域に形成されている画像から得られる情報を特性値として取得している。これにより、上記画像認識部２２は、上記特定の領域に相当する画像データのみを解析して特性値を得ることができる。
【０１８９】
また、本実施の形態にかかる画像形成装置１において、上記書籍５０には複数の情報タグ５１が付加されているとともに、上記複数の情報タグ５１には他の情報タグとの関連性を示す関連性情報が記録されており、上記付加情報判定部６は、上記書籍５０に上記情報タグ５１が付加されていると判定すると、各情報タグ５１から上記関性連情報を読み出すものであり、上記付加情報判定部６により読み出された上記関連性情報に基づいて、上記書籍５０に付加されている複数の情報タグ５１同士が関連しているか否かを判定する関連性判定部２７を備え、上記制御部８は、上記関連性判定部２７の判定結果に基づいて上記画像形成部４を制御する構成であってもよい。
【０１９０】
上記の構成によれば、上記書籍５０に付加された複数の情報タグ５１から関連性情報を読出し、この複数の情報タグ５１同士が関連しているか否かを判定している。これにより、上記書籍５０に付加されている複数の情報タグ５１のうちの一部が取り除かれた場合に、上記情報タグ５１が取り除かれていることを判断することができる。
【０１９１】
また、本実施の形態にかかる書籍５０は、情報タグ５１を備えた書籍５０であって、上記情報タグ５１が付加されていることを示す付加情報が画像として形成されている構成である。
【０１９２】
上記書籍５０とは、例えば、紙またはシート等の情報記録媒体上に、画像が形成されているものである。
【０１９３】
上記の構成によれば、情報タグ５１を有するとともに、当該情報タグ５１が付加されていることを示す付加情報が画像として形成されている。これにより、例えば、付加情報が画像として記録されているので、書籍５０から上記情報タグ５１が取り除かれた場合には、上記情報タグ５１が取り除かれたことを知ることができる。
【０１９４】
また、本実施の形態にかかる書籍５０において、上記付加情報は、文字以外の画像である構成であってもよい。
【０１９５】
上記の構成によれば、付加情報が文字以外の画像である。これにより、人には付加情報であるか否かを判別できないような画像を上記付加情報とすることができる。
【０１９６】
また、本実施の形態にかかる書籍５０において、上記付加情報は、バーコードである構成であってもよい。
【０１９７】
上記の構成によれば、上記付加情報がバーコードである。これにより、上記付加情報を機械読取りが容易な状態で付加することができる。
【０１９８】
また、本実施の形態にかかる書籍５０において、上記付加情報は、付加情報以外の画像と重なる状態で形成されている構成であってもよい。
【０１９９】
上記の構成によれば、上記付加情報を当該付加情報以外の画像が形成されている位置に重なるように形成している。これにより、人に認識し難い状態で上記付加情報を付加することができる。
【０２００】
また、本実施の形態にかかる書籍５０において、複数の上記情報タグ５１を備え、上記情報タグ５１には、他の情報タグとの関連性を示す関連情報が記録されている構成であってもよい。
【０２０１】
上記の構成によれば、複数の情報タグ５１には、他の情報タグとの関連性を示す関連情報が記録されている。これにより、例えば、上記複数の情報タグ５１のうちの１つが取り除かれた場合であっても、残っている情報タグ５１の情報を読取ることで、情報タグ５１が取り除かれたことを知ることができる。
【０２０２】
また、本実施の形態にかかる書籍５０において、上記情報タグ５１を特定するための特定情報が画像として含まれている構成であってもよい。
【０２０３】
上記の構成によれば、上記書籍５０に形成されている画像には、上記情報タグ５１を特定する特定情報が含まれている。すなわち、上記特定情報を読取ることで、上記書籍５０に付加された情報タグ５１が、本来付加されているべきものか否かを判定することができる。これにより、例えば、書籍５０に本来付加されていた情報タグ５１が取り除かれて、その代わりに他の情報タグが付加された場合であっても、上記特定情報を読取ることで、本来付加されていた情報タグ５１が取り除かれたことを知ることができる。
【０２０４】
また、本実施の形態にかかる画像形成装置１は、書籍５０を読取って画像データを取得する画像読取部２と、上記画像データに基づいてシートに画像を形成する画像形成部４とを備えた画像形成装置１であって、上記書籍５０に上記情報タグ５１が付加されているか否かを判定するタグ付加判定部２３と、上記書籍５０に基づく画像形成を制限するか否かを示す制限情報を少なくとも記憶している情報タグ５１が当該書籍５０に付加されていることを示す付加情報が、上記画像読取部２にて読取られた画像データに含まれているか否かを判定する付加情報判定部６と、上記付加情報判定部６にて付加情報が含まれていると判定され、かつ、上記タグ付加判定部２３にて上記情報タグ５１が書籍５０に付加されていないと判定された場合に、画像形成を行なわないように上記画像形成部４を制御する制御部８とを備える構成であってもよい。
【０２０５】
なお、上記書籍５０に形成されている画像に、付加情報および／または特定情報を埋め込む（含ませる）場合には、上記付加情報および／または特定情報は、人の目には認識し難い状態で埋め込まれていることがより好ましい。上記付加情報および／または特定情報を上記書籍５０に形成されている画像に含ませる方法としては、例えば、（１）人間の目では視認しにくい色（白紙に対して薄い黄色等の色）でパターンを付加する、赤外線など可視領域外で読取り可能なパターンを付加する、文字などのエッジにデータ（パターン）を埋め込む方法等が挙げられる。また、上記付加情報および／または特定情報をバーコード等の機械読取りが容易なパターンとして上記書籍５０に形成してもよい。また、付加情報および／または特定情報を形成する位置については、特に限定されるものではなく、例えば、ヘッダーやフッターの位置に形成してもよく、書籍５０に形成されている画像と重なる位置に形成してもよい。
【０２０６】
また、上記の説明では、書籍特定情報を記憶するものとして、情報を電気的に記憶している情報タグ５１を例に説明しているが、情報タグ５１の代わりに、例えば、上記書籍特定情報を記録した紙等を用いてもよい。
【０２０７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２０８】
最後に、画像形成装置１の各ブロック、特に制御部８、情報取得部７および付加情報判定部６は、ハードウェアロジックによって構成してもよいし、次のようにＣＰＵを用いてソフトウェアによって実現してもよい。
【０２０９】
すなわち、画像形成装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像形成装置１の制御プログラムのプログラムコード（実行形式プログラム、中間コードプログラム、ソースプログラム）をコンピュータで読取り可能に記録した記録媒体を、上記画像形成装置１に供給し、そのコンピュータ（またはＣＰＵやＭＰＵ）が記録媒体に記録されているプログラムコードを読み出し実行することによっても、達成可能である。
【０２１０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１１】
また、画像形成装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２１２】
本発明にかかる画像形成装置は、特に著作物等のコピーを行なう複写機、および、デジタル複合機等の画像形成装置に好適に適用できる。
【図面の簡単な説明】
【０２１３】
【図１】本実施の形態にかかる画像形成装置の概略の構成を示す機能ブロック図である。
【図２】（ａ）〜（ｃ）は、情報タグに記録された書籍特定情報のデータ構造の一例を示す図面である。
【図３】制御処理を説明するフローチャートである。
【図４】印刷枚数判定処理を説明するためのフローチャートである。
【図５】制御処理の他の例を説明するフローチャートである。
【図６】制御部における制御処理の他の例を説明するフローチャートである。
【図７】書籍に形成されている画像の一例を示す図面である。
【図８】レイアウト比較処理を説明するフローチャートである。
【図９】（ａ）、（ｂ）は関連性判定処理を説明するための図面である。
【図１０】関連性判定処理を説明するフローチャートである。
【符号の説明】
【０２１４】
１  画像形成装置
２  画像読取部（画像読取手段）
３  画像処理部
４  画像形成部（画像形成手段）
５  無線タグ通信部
６  付加情報判定部（付加情報判定手段）
７  情報取得部
８  制御部（制御手段）
９  情報記憶装置
１０  ユーザＩ／Ｆ部
１１  認証情報取得部
１２  ネットワークＩ／Ｆ部
１３  制限情報付加部
２１  無線タグリーダ
２２  画像認識部（特性値算出手段、抽出手段）
２３  タグ付加判定部（記憶装置判定手段）
２４  認証画像記憶部
２５  タグ情報記憶部
２６  情報比較部（装置判定手段、類似判定手段）
２７  関連性判定部（関連性判定手段）
２８  ユーザ認証部
２９  指紋認証部
３０  通信部
３１  ＩＣカードリーダ
３２  操作部
５０  書籍（原稿）
５１  情報タグ（記憶装置）
【図１】
2007027890.tif 000003
【図２】
2007027890.tif 000004
【図３】
2007027890.tif 000005
【図４】
2007027890.tif 000006
【図５】
2007027890.tif 000007
【図６】
2007027890.tif 000008
【図７】
2007027890.tif 000009
【図８】
2007027890.tif 000010
【図９】
2007027890.tif 000011
【図１０】
2007027890.tif 000012